(57)【要約】      （修正有）【課題】構造が簡単で、コストが低く、消費電力を引き下げる交流発光ダイオード直列接続装置を提供する。【解決手段】交流発光ダイオード直列接続装置は第一〜第五ＬＥＤ直列接続ユニット１〜５、定電流ＩＣ６、交流電源７からなり、各ユニットは複数の発光ダイオードを直列接続して構成して正負極両端を形成する。第一ユニットの負極は第二ユニットの正極と連接し、第二ユニットの負極は第三ユニットの正極と連接し、第三ユニットの負極は、第四ユニットの正極と連接し、第四ユニットの負極は第一ユニットの負極及び第二ユニットの正極と連接し、第五ユニットの正極は第二ユニットの負極及び第三ユニットの正極と連接し、第五ユニットの負極は第一ユニットの正極と連接する。定電流ＩＣは第三ユニットの負極、第四ユニットの正極と連接し、交流電源一端は第五ユニットの負極、第一ユニットの正極と連接し、反対端は定電流ＩＣと相互に接続する。【選択図】図１
0003172044.tif 000002
【実用新案登録請求の範囲】
【請求項１】
交流発光ダイオード直列接続装置は、第一〜第五ＬＥＤ直列接続ユニット、定電流ＩＣ、交流電源からなり、
該各ＬＥＤ直列接続ユニットは、複数の発光ダイオードを直列接続して構成し、正、負極両端を形成し、
該第一ＬＥＤ直列接続ユニットの負極は、第二ＬＥＤ直列接続ユニットの正極と電気的に連接し、
該第二ＬＥＤ直列接続ユニットの負極は、第三ＬＥＤ直列接続ユニットの正極と電気的に連接し、
該第三ＬＥＤ直列接続ユニットの負極は、第四ＬＥＤ直列接続ユニットの正極と電気的に連接し、
該第四ＬＥＤ直列接続ユニットの負極は、第一ＬＥＤ直列接続ユニットの負極及び該第二ＬＥＤ直列接続ユニットの正極と電気的に連接し、
該第五ＬＥＤ直列接続ユニットの正極は、該第二ＬＥＤ直列接続ユニットの負極及び該第三ＬＥＤ直列接続ユニットの正極と電気的に連接し、しかも該第五ＬＥＤ直列接続ユニットの負極は、該第一ＬＥＤ直列接続ユニットの正極と電気的に連接し、
該定電流ＩＣは、該第三ＬＥＤ直列接続ユニットの負極、該第四ＬＥＤ直列接続ユニットの正極と電気的に連接し、
該交流電源一端は、該第五ＬＥＤ直列接続ユニットの負極、該第一ＬＥＤ直列接続ユニットの正極と電気的に連接し、反対端は、該定電流ＩＣと相互に接続することを特徴とする交流発光ダイオード直列接続装置。
【請求項２】
前記交流発光ダイオード直列接続装置はさらに、限流抵抗を備え、これにより電流を調整、制御することを特徴とする請求項１に記載の交流発光ダイオード直列接続装置。
【考案の詳細な説明】
【技術分野】
【０００１】
本考案は交流発光ダイオード直列接続装置に関し、特に構造が簡単で、コストが低く、しかも消費電力を効果的に引き下げることができる交流発光ダイオード直列接続装置に関する。
【背景技術】
【０００２】
電子ビームが螢光体を刺激して発光する蛍光灯とは異なり、発光ダイオード（ＬＥＤ）は、ダイオードが生じるオプトエレクトロニクス効果を利用して発光する。
発光ダイオードが発する光は、波長が安定し、電流を通して輝度の制御を行いやすいという特徴がある。
【０００３】
加えて、発光ダイオードは、ルミネセンスで、体積が小さく、節電特性を備え、しかも寿命は蛍光灯の１０倍にも達するため、徐々に市場の主流になりつつある。
【０００４】
従来の発光ダイオード直列接続装置は、交流電源により電流を提供するが、この電流は先ず、ブリッジ式整流回路により交流を直流に整流する必要があった。
電流は整流された後に、数個の発光ダイオードへと流れる。
このため、発光ダイオードは、交流電源の正、負サイクルにおいて共に通電し発光することができる。
【０００５】
しかし、上記の発光ダイオード直列接続装置では、長時間の使用後は、発光ダイオードの過熱により使用寿命を短くしてしまうという問題がある。
そのため、いかにして消費電力を抑え、同時に、発光ダイオードの回路部品を減らし、これにより全体の生産コストを引き下げ、モジュールを小型化するかは、発光ダイオード領域において解決が待たれる問題である。
本考案は、従来の交流発光ダイオード直列接続装置の上記した欠点に鑑みてなされたものである。
【先行技術文献】
【特許文献】
【０００６】
【特許文献１】特開平５−６６７１８号公報
【特許文献２】実用新案登録第３１５２２６０号
【考案の概要】
【考案が解決しようとする課題】
【０００７】
本考案が解決しようとする課題は、構造が簡単で、コストが低く、しかも消費電力を効果的に引き下げることができる交流発光ダイオード直列接続装置を提供することである。
【課題を解決するための手段】
【０００８】
上記課題を解決するため、本考案は下記の交流発光ダイオード直列接続装置を提供する。
交流発光ダイオード直列接続装置は、第一〜第五ＬＥＤ直列接続組、定電流ＩＣ、交流電源からなり、該各ＬＥＤ直列接続組は、複数の発光ダイオードを直列接続して構成し、正、負極両端を形成し、該第一ＬＥＤ直列接続ユニットの負極は、第二ＬＥＤ直列接続ユニットの正極と連接し、該第二ＬＥＤ直列接続ユニットの負極は、第三ＬＥＤ直列接続ユニットの正極と連接し、該第三ＬＥＤ直列接続ユニットの負極は、第四ＬＥＤ直列接続ユニットの正極と連接し、該第四ＬＥＤ直列接続ユニットの負極は、該第一ＬＥＤ直列接続ユニットの負極及び第二ＬＥＤ直列接続ユニットの正極と連接し、該第五ＬＥＤ直列接続ユニットの正極は、該第二ＬＥＤ直列接続ユニットの負極及び該第三ＬＥＤ直列接続ユニットの正極と連接し、しかも該第五ＬＥＤ直列接続ユニットの負極は、該第一ＬＥＤ直列接続ユニットの正極と連接し、該定電流ＩＣは、該第三ＬＥＤ直列接続ユニットの負極、該第四ＬＥＤ直列接続ユニットの正極と連接し、該交流電源一端は、該第五ＬＥＤ直列接続ユニットの負極、該第一ＬＥＤ直列接続ユニットの正極と連接し、反対端は、該定電流ＩＣと相互に接続し、実施時には、限流抵抗を備え、これにより電流を調整、制御することができる。  
【考案の効果】
【０００９】
本考案の交流発光ダイオード直列接続装置は、構造が簡単で、コストが低く、しかも消費電力を効果的に引き下げることができる。
【図面の簡単な説明】
【００１０】
【図１】本考案実施例の構造模式図である。
【考案を実施するための形態】
【００１１】
以下に図面を参照しながら本考案を実施するための最良の形態について詳細に説明する。
【実施例】
【００１２】
本考案の交流発光ダイオード直列接続装置の一実施例である図１に示すように、本考案の交流発光ダイオード直列接続装置は、第一〜第五ＬＥＤ直列接続ユニット１〜５、定電流ＩＣ６、交流電源７からなる。
【００１３】
該各ＬＥＤ直列接続ユニット１〜５は、複数の発光ダイオードを直列接続して構成し、正、負極両端を形成する。
【００１４】
該第一ＬＥＤ直列接続ユニット１の負極は、第二ＬＥＤ直列接続ユニット２の正極と連接する。
【００１５】
該第二ＬＥＤ直列接続ユニット２の負極は、第三ＬＥＤ直列接続ユニット３の正極と連接する。
【００１６】
該第三ＬＥＤ直列接続ユニット３の負極は、第四ＬＥＤ直列接続ユニット４の正極と連接する。
【００１７】
該第四ＬＥＤ直列接続ユニット４の負極は、該第一ＬＥＤ直列接続ユニット１の負極及び該第二ＬＥＤ直列接続ユニット２の正極と連接する。
【００１８】
第五ＬＥＤ直列接続ユニット５の正極は、該第二ＬＥＤ直列接続ユニット２の負極及び該第三ＬＥＤ直列接続ユニット３の正極と連接し、しかも該第五ＬＥＤ直列接続ユニット５の負極は、該第一ＬＥＤ直列接続ユニット１の正極と連接する。
【００１９】
該定電流ＩＣ６は、該第三ＬＥＤ直列接続ユニット３の負極、該第四ＬＥＤ直列接続ユニット４の正極と連接する。
【００２０】
該交流電源７一端は、該第五ＬＥＤ直列接続ユニット５の負極、該第一ＬＥＤ直列接続ユニット１の正極と連接し、反対端は、該定電流ＩＣ６と相互に接続する。
【００２１】
実施時には、該第一〜第五ＬＥＤ直列接続ユニット１〜５の連接関係を通して、交流を直流に整流するブリッジ式整流に類似の機能を形成でき、これによりブリッジ式整流回路に頼らなければ整流できない従来の設計に置換できる。
【００２２】
すなわち、本考案の第一〜第五ＬＥＤ直列接続ユニット１〜５は、発光機能を提供できる他、整流の目的を達成することもできる。
【００２３】
よって、構造全体の電子部品の数量を効果的に減らすことができ、これによりコストを引き下げ、構造のスペースを縮小し、さらに電子部品を減らすことで、消費電力を低下させることもできる。  
【００２４】
また、実施時には、本考案交流発光ダイオード直列接続装置はさらに、限流抵抗８を備え、これにより電流を調整、制御することができる。
【００２５】
上記の本考案の名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２７】
１  第一ＬＥＤ直列接続ユニット
２  第二ＬＥＤ直列接続ユニット
３  第三ＬＥＤ直列接続ユニット
４  第四ＬＥＤ直列接続ユニット
５  第五ＬＥＤ直列接続ユニット
６  定電流ＩＣ
７  交流電源
８  限流抵抗
【図１】
0003172044.tif 000003